(57)【要約】      （修正有）【課題】長靴型袋の内部において芯材を適切、且つ、容易に配することができ、芯材により長靴型袋を長靴形状にしっかりと形状保持することができる長靴型包装容器を提供する。【解決手段】長靴形状をした長靴型袋１１を内側から長靴形状に形状保持する可撓性を有する可撓性芯材２１を、上面に開口部２６を有する中空の偏心錐台形状で足型に形成した中空足型芯材２２と、該中空足型芯材２２の上記開口部２６から内部空間Ａに下部を差し込んで取り付けられる筒状芯材２３とで構成し、上記開口部２６の開口縁部２６ａにおける接線方向が変化する接線方向変化部分を含む接線方向変化縁部２６ａｆに、上記内部空間Ａ側へ折り返して、該開口部２６の開口形状を保持する折り返し片２４を備えた。【選択図】図２
0003156739.tif 000002
【実用新案登録請求の範囲】
【請求項１】
物品を収容する長靴形状をした長靴型袋と、
上記長靴型袋を内側から長靴形状に形状保持する可撓性を有する可撓性芯材とを備えた長靴型包装容器であって、
上記可撓性芯材を、上面に開口部を有する中空の偏心錐台形状で足型に形成した中空足型芯材と、該中空足型芯材の上記開口部から内部空間に下部を差し込んで取り付けられる筒状芯材とで構成し、
上記開口部の開口縁部における接線方向が変化する接線方向変化部分を含む接線方向変化縁部に、上記内部空間側へ折り返して、該開口部の開口形状を保持する折り返し片を備えた
長靴型包装容器。
【請求項２】
上記折り返し片を上記開口縁部における前方側縁部分に形成した
請求項１に記載の長靴型包装容器。
【請求項３】
上記筒状芯材を円筒状部材で形成し、
上記開口部を、平面視円形状で形成した
請求項１、又は、２に記載の長靴型包装容器。
【請求項４】
上記中空足型芯材、及び、上記筒状芯材を、厚紙を巻き回した芯材で形成した
請求項１から請求項３のうちいずれか１項に記載の長靴型包装容器。
【請求項５】
上記中空足型芯材と、該中空足型芯材に差し込んだ上記筒状芯材とを係合する係合手段を、上記中空足型芯材と上記筒状芯材とが重なり合う重合部分に構成した
請求項１から請求項４のうちいずれか１項に記載の長靴型包装容器。
【請求項６】
上記係合手段を、上記筒状芯材側に備えた筒状芯材側係合部と、中空足型芯材側に備えた中空足型芯材側係合部とで構成し、
上記中空足型芯材側係合部を上記折り返し片で構成した
請求項５に記載の長靴型包装容器。
【考案の詳細な説明】
【技術分野】
【０００１】
この考案は、例えば、玩具や菓子などの物品を収容し、プレゼントとして包装するのに適した長靴型（ブーツ型）の包装用容器に関する。
【背景技術】
【０００２】
長靴型包装容器は、子供へのクリスマスプレゼントとして菓子などの物品を収容するものとして従来から用いられ、様々な構成のものが普及している。  
例えば、下記特許文献１に係る「菓子容器」もその１つである。
【０００３】
特許文献１に係る菓子容器は、合成樹脂製の筒体と厚紙製の胛部片とで構成し、筒体の下部外周にＬ字型の胛部片を巻き付けて足型に形成し、適宜、テープや接着剤で固着して筒体に対して一体化している。
【０００４】
また、長靴型包装容器には、長靴型袋を備えたものも存在し、該長靴型袋に、上述したように筒体と胛部片とで長靴型に構成したものを芯材として収容し、内側からブーツ形状に形状保持（保形）する構成のものも存在する。
【０００５】
長靴型袋は、クリスマスプレゼントとしての外観上の見栄えを高めるなどの目的で表面を被覆するために備えることができ、例えば、ネット状生地で形成したものなども存在する。
【０００６】
しかし、特許文献１の「菓子容器」は、予め胴体の下部に胛部片を巻回して長靴型に一体に構成した状態で長靴型袋に収容しようとした場合、ブーツ形状をした菓子容器において筒体の下部から側方に突出する胛部片が邪魔になり、長靴型袋に収容することができない、或いは、収容することが困難であり、多大な労力を要するといった難点を有している。
【０００７】
一方で、胛部片と胴体とを長靴型袋の中に別々に収容し、長靴型袋の中において胛部片と胴体とを一体化しようとしても、長靴型袋の中で胛部片を胴体の下部に巻回する必要があり、このような作業を長靴型袋の中で行なうことはスペースの面で困難である。
【０００８】
また、上記菓子容器の場合、胛部片を足型になるよう巻き回したとき、胛部片の上端周縁部（特許文献１中の内側弧形部１）の前方側部分は、末広がり状に傾斜しているため変形し易く、型崩れし易いという難点を有する。
【０００９】
さらに、上記菓子容器の場合、胛部片を筒体の下部に巻き回したとき、該筒体の下部に対して胛部片の上端周縁部が筒体の周方向に沿って線接触状態で接触しているだけであるため、筒体に外力が加わったとき、筒体を胛部片に対して傾いたり外れたりしないようガイドすることができないという難点も有する。
【先行技術文献】
【特許文献】
【００１０】
【特許文献１】実公昭４３−２１４３７号公報
【考案の概要】
【考案が解決しようとする課題】
【００１１】
そこで本考案では、長靴型袋の内部において芯材を適切、且つ、容易に配することができ、該芯材により長靴型袋を長靴形状にしっかりと形状保持することができる長靴型包装容器の提供を目的とする。
【課題を解決するための手段】
【００１２】
本考案は、物品を収容する長靴形状をした長靴型袋と、上記長靴型袋を内側から長靴形状に形状保持する可撓性を有する可撓性芯材とを備え、上記可撓性芯材を、上面に開口部を有する中空の偏心錐台形状で足型に形成した中空足型芯材と、該中空足型芯材の上記開口部から内部空間に下部を差し込んで取り付けられる筒状芯材とで構成し、上記開口部の開口縁部における接線方向が変化する接線方向変化部分を含む接線方向変化縁部に、上記内部空間側へ折り返して、該開口部の開口形状を保持する折り返し片を備えた長靴型包装容器であることを特徴とする。
【００１３】
上述したように上記開口部の開口縁部に折り返し片を備えることにより、上記中空足型芯材の上記開口部の縁部が不測に変形し難いように補強することができ、開口部の開口形状を所望の形状に保持することができる。
【００１４】
よって、上記長靴型袋の内側に上記中空足型芯材を配した状態であっても、開口部の開口形状が変形することなく上記筒状芯材を上記開口部を通じて上記中空足型芯材の内部空間へ容易に差し込むことができる。
【００１５】
さらに、折り返し片は、上記中空足型芯材に差し込んだ上記筒状芯材に対して上記内部空間側において当接するため、上記筒状芯材に外力が加わっても、該筒状芯材が上記中空足型芯材に対して傾いたり外れたりしないようガイドすることができる。
【００１６】
上記筒状芯材は、例えば、円筒状、楕円筒状、円錐状、多角柱状、逆円錐状、逆多角柱状に形成することができる。
【００１７】
開口部は、上記中空足型芯材の内部空間に上記筒状芯材の下部を差込み可能に、例えば、平面視円形状、楕円形状、多角形状などの開口形状で形成することができる。
【００１８】
ここで、上記接線方向が変化する上記接線方向変化部分とは、開口縁部において湾曲した曲線部分、或いは、屈曲した屈曲部分を示す。
【００１９】
この考案の態様として、上記折り返し片は、上記開口縁部における前方側縁部分（爪先方向側縁部分）に形成することができる。
【００２０】
中空足型芯材の偏心錐台形状で足型に形成しているため、その甲部分は、末広がり状に傾斜した傾斜面となり、踵部分は、底面に対して略垂直な垂直面となる。よって、甲部分は、踵部分と比較して圧縮力などの外力に対して型崩れし易くなる。
【００２１】
上記折り返し片を上記開口縁部における前方側縁部分に形成することにより、中空足型芯材の傾斜面によって変形し易い甲部分が型崩れしないよう補強することができる。
【００２２】
さらに、上記折り返し片を上記開口部の前方側縁部分に形成することにより、上記中空足型芯材の内部空間において上記折り返し片が前方側から当接した状態で上記筒状芯材をしっかりとガイドすることができる。
【００２３】
ここで、上記偏心錐台形状は、底面、及び、上面のそれぞれが例えば、円、楕円、多角形のうち、いずれかの形状であり、上面が底面の内側に含まれる平面視形状で中空足型芯材の重心位置が平面方向に偏心した錐台形状である。さらに、偏心錐台形状は、底面に対して上面が傾斜、或いは、平行である錐台形状とすることができる。  
上記足型とは、足の爪先部分から踵部分の間の甲部分を含む足首よりも下側部分の大まかな形状を示す。
【００２４】
またこの考案の態様として、上記筒状芯材を円筒状部材で形成し、上記開口部を、平面視円形状で形成することができる。
【００２５】
上記構成により、上記筒状芯材を中空足型芯材に差し込む際に、上記筒状芯材の上記開口部に対する周方向の向きを問わず、容易に、且つ、しっかりと差し込むことができる。
【００２６】
さらに、上記開口部を平面視円形状で形成することにより、上記接線方向変化縁部は円弧状に湾曲しているため、上記折り返し片の折り返し部分を、上記接線方向変化縁部に沿った円弧状とすることができる。これにより、折り返し片は、それ自体が円弧状に撓み、真直ぐな折り曲げラインで折り返した平面形状の折り返し片と比較して折り返した後の形状に安定して保つことができる。
【００２７】
またこの考案の態様として、上記中空足型芯材、及び、上記筒状芯材は、厚紙を巻き回した芯材で形成することができる。
【００２８】
厚紙は、可撓性に優れた素材であるため、該厚紙を筒状に巻いて容易に上記中空足型芯材、及び、上記筒状芯材を構成することができる。
【００２９】
また、このように可撓性に優れた厚紙であっても、上記開口縁部の上記接線方向変化縁部に、折り返し片を備えることにより、該開口部を所望の開口形状に保持でき、十分な強度を確保することができる。
【００３０】
またこの考案の態様として、上記中空足型芯材と、該中空足型芯材に差し込んだ上記筒状芯材とを係合する係合手段を、上記中空足型芯材と上記筒状芯材とが重なり合う重合部分に構成することができる。
【００３１】
上記係合手段で上記中空足型芯材と上記筒状芯材とを係合することにより、中空足型芯材に対して上記筒状芯材が不測に抜けたり、上記筒状芯材が周方向へ位置ずれすることを阻止することができ、上記中空足型芯材と上記筒状芯材との一体性を向上することができる。
【００３２】
またこの考案の態様として、上記係合手段を、上記筒状芯材側に備えた筒状芯材側係合部と、中空足型芯材側に備えた中空足型芯材側係合部とで構成し、上記中空足型芯材側係合部を上記折り返し片で構成することができる。
【００３３】
上記構成により、上記折り返し片は、上記内部空間側へ折り返しているため、上記内部空間内において突出した突片状となり、中空足型芯材に差し込んだ上記筒状芯材側に係合させ易くなる。
【００３４】
よって、上記中空足型芯材側係合部を筒状芯材側係合部に対してしっかりと、且つ、容易に係合することができる。
【００３５】
さらに、上記中空足型芯材側係合部を上記折り返し片で構成することにより、中空足型芯材に別途、中空足型芯材側係合部を備える必要がない。
【００３６】
上記中空足型芯材側係合部は、上述したように折り返し片自体で構成するに限らず、上記折り返し片の一部として構成する、上記折り返し片に別途、係合部を備えた構成のいずれをも含むものとする。
【考案の効果】
【００３７】
本考案では、長靴型袋の内部において芯材を適切、且つ、容易に配することができ、該芯材により長靴型袋を長靴形状にしっかりと形状保持することができる長靴型包装容器を提供することができる。
【図面の簡単な説明】
【００３８】
【図１】長靴型包装容器の外観図。
【図２】長靴型包装容器の幅方向の中央縦断面図。
【図３】中空足型芯材の展開図。
【図４】中空足型芯材を筒状に曲げる途中過程を示す斜視図。
【図５】中空足型芯材の折り返し片を折り返す様子を示す斜視図。
【図６】中空足型芯材に筒状芯材の下部を差し込む様子を示す説明図。
【図７】他の実施形態の長靴型包装容器の構成説明図。
【考案を実施するための形態】
【００３９】
この考案の一実施形態を、以下図面を用いて説明する。  
図１は長靴型包装容器１０の外観図であり、図２は領域Ｘを拡大して示した長靴型包装容器１０の幅方向の中央縦断面図であり、図３は後述する中空足型芯材２２の展開図である。  
長靴型包装容器１０は、長靴形状をした長靴型袋１１と、該長靴型袋１１の内部空間Ａに備え、上記長靴型袋１１を内側から長靴形状に形状保持し、可撓性を有する可撓性芯材２１、及び、底板３１とで構成している。
【００４０】
上記長靴型袋１１は、長靴型の不織布を重ね合わせて上端縁を除く周縁を縫製して長靴型の袋状に構成している。これにより、後述する中空足型芯材２２を収容可能に下部に有する足型収容部１２と、後述する円筒状芯材２３を収容可能に該足型芯材収容部１２の上方に備えた筒状の筒状収容部１３とで構成している。  
なお、筒状収容部１３の左側側面には、複数枚のワッペンを適宜添着することにより、例えばサンタクロースの絵柄を形成することができる。
【００４１】
上記可撓性芯材２１は、上面に開口部２６（図５参照）を有する中空の偏心錐台形状で足型に形成した中空足型芯材２２と、該中空足型芯材２２の上記開口部２６から内部空間Ｂに下部を差し込んで取り付けられる円筒状芯材２３とで構成している。円筒状芯材２３の内部空間Ｃには、菓子などの物品（図示せず）が収容されている。
【００４２】
中空足型芯材２２は、展開すると図３に示すように、長さ方向の両端部が中間部分に対して両外側（図３における上方）へ湾曲して突出した弓状をした正面視形状となる厚紙により形成している。
【００４３】
展開状態の中空足型芯材２２の円弧状の内側端部２２Ｕ（図３中の中空足型芯材２２の上端部分２２Ｕ）の中央部分には、中空足型芯材２２の本体部分に対して折り返し可能に外側へ平面視半楕円形状で突出する折り返し片２４を形成している。
【００４４】
中空足型芯材２２の長さ方向の両端部には、中空足型芯材２２を巻き回した状態で保持する筒状保持係合部２５を形成している。
【００４５】
筒状保持係合部２５は、中空足型芯材２２の長さ方向の一端部側に形成した筒状保持係合片２５ａと、中空足型芯材２２の長さ方向の他端側に形成した筒状保持係合孔２５ｂとで構成し、筒状保持係合片２５ａを筒状保持係合孔２５ｂに差込んで互いに係合することができる。
【００４６】
底板３１は、厚紙よりも強度を有する段ボールにより平面視楕円形状で形成している。
【００４７】
円筒状芯材２３は、図示省略するが、正面視長方形の厚紙の両端部同士を固定して円筒状に形成している。なお、円筒状芯材２３の両端部同士の固定は、テープ（図示せず）などで接続して円筒状に保持する構成、或いは、中空足型芯材２２と同様に筒状保持係合部２５を形成した構成であってもよい。
【００４８】
長靴型包装容器１０を構成する手順について図４、図５を用いて説明する。  
なお、図４は、厚紙を巻き回して偏心錐台形状の中空足型芯材２２とする過程を示す説明図であり、図５は、折り返し片２４を折り返す様子を示す説明図である。
【００４９】
まず、中空足型芯材２２を展開状態から円筒状芯材２３の下部を差込み許容する偏心錐台形状で形成する。  
詳しくは、図４、図５に示すように、中空足型芯材２２を巻き回したとき、互いに周方向において対向する筒状保持係合片２５ａと筒状保持係合孔２５ｂとを係合する。これにより、図５に示すように、中空足型芯材２２は、上述したように上面に開口部２６を有する中空の偏心錐台形状とすることができる。
【００５０】
開口部２６は、開口縁部２６ａの各部分において接線方向が変化する曲線形状で形成している。すなわち、上記開口部２６は、平面視略円形状に形成しているため、開口縁部２６ａの各部分において接線方向が変化する円弧状となる。
【００５１】
開口縁部２６ａは、前方側端部２６ａｆ（爪先方向側端部）から後方側端部２６ａｂ（踵側端部）にかけて徐々に下降する形状で形成している。
【００５２】
折り返し片２４は、円弧状の開口縁部２６ａの一部を折り曲げライン２６ｂとして折り曲げて形成しているため、円弧形状に湾曲した開口縁部２６ａに沿った折り曲げ形状となり、直線形状の折り曲げラインに沿って折り曲げる場合と異なり、折り返し後の形状にしっかりと形状保持することができる。
【００５３】
さらに、折り返し片２４は、中空足型芯材２２の開口縁部２６ａにおける前方側端部２６ａｆに形成され、該前方側端部２６ａｆにおいて折り返し片２４は、開口縁部２６ａから内部空間Ｂにおいて略下方へ突出した形態となる。
【００５４】
上述した手順により、中空足型芯材２２を、円筒状芯材２３の下部を差込み許容する開口部２６を上面に備えた偏心錐台形状で形成することができる。  
続いて、中空足型芯材２２、及び、底板３１を、長靴型袋１１の足型収容部１２の内部空間Ａに収容する。  
詳しくは、底板３１を長靴型袋１１の内部の靴底部分に設置するとともに、偏心錐台形状の中空足型芯材２２を足型収容部１２に収容する。この底板３１と中空足型芯材２２とで足型収容部１２を偏心錐台形状に形状保持する。
【００５５】
さらに、図６に示すように、円筒状芯材２３を上記長靴型袋１１の上端に有する袋開口部１１Ａから該長靴型袋１１の内部空間Ａに挿入するとともに、上記長靴型袋１１に収容された状態で円筒状芯材２３の下部を中空足型芯材２２の開口部２６に差し込むことで円筒状芯材２３が、中空足型芯材２２に支持された状態となり、中空足型芯材２２と円筒状芯材２３とを長靴型袋１１の内部において一体にすることができる。
【００５６】
以上より、中空足型芯材２２と円筒状芯材２３とは、互いに一体の状態で長靴型袋１１の内部空間Ａに収容され、長靴型袋１１を内側から長靴形状に形状保持することができる。
【００５７】
上述した長靴型包装容器１０は、以下のような様々な作用、効果を奏することができる。  
長靴型包装容器１０は、上述したように、物品を収容する長靴形状をした長靴型袋１１と、可撓性を有する可撓性芯材２１とで構成しているため、上記長靴型袋１１を内側から長靴形状に形状保持することができる。
【００５８】
また、上述したように、上記可撓性芯材２１は、上面に開口部２６を有する中空足型芯材２２と、該中空足型芯材２２の上記開口部２６から内部空間Ｂに下部を差し込んで取り付けられる円筒状芯材２３とで構成し、上記開口部２６の開口縁部２６ａにおける前方側端部２６ａｆ（図２中の領域Ｘの拡大図参照）に上記内部空間Ｂ側へ折り返した折り返し片２４を備えているため、上記開口部２６の開口形状が不測に変形しないよう平面視円形状に形状保持することができる。
【００５９】
詳述すると、偏心錐台形状で足型に形成した中空足型芯材２２は、その爪先部分が末広がり状に傾斜した傾斜面を有し、型崩れし易いが、このような上記開口縁部２６ａにおける前方側端部２６ａｆに上記折り返し片２４を形成することにより、上記中空足型芯材２２の中でも強度が弱く、型崩れし易い前方側縁部分２６ａｆの周辺部分の強度を格段に向上させることができる。
【００６０】
よって、上記開口部２６の開口形状が不測に変形しないよう平面視円形状に形状保持することができ、上記長靴型袋１１の内側に上記中空足型芯材２２を収容した状態であっても、円筒状をした上記筒状芯材を上記開口部２６を通じて上記中空足型芯材２２の内部空間Ｂへ容易に差し込むことができる。
【００６１】
さらにまた、図２の領域Ｘの拡大図に示すように、折り返し片２４は、上記中空足型芯材２２に差し込んだ上記円筒状芯材２３に対して前方側（爪先方向側）から当接支持するため、上記円筒状芯材２３に外力が加わっても、該筒状芯材が上記中空足型芯材２２に対して傾いたり外れたりしないようガイドすることができる。
【００６２】
また、上記円筒状芯材２３は、円筒状であり、上記開口部２６は、平面視円形状で形成しているため、上記円筒状芯材２３は、周方向の向きに関らず中空足型芯材２２の開口部２６に対して同じ形態で差し込むことができ、中空足型芯材２２に対して差し込む際に周方向の向きを考慮せずとも容易に、且つ、しっかりと差し込むことができる。
【００６３】
さらに、上記開口部２６を平面視円形状で形成することにより、上記折り返し片２４の折り返し部分を、円弧状に湾曲した開口縁部２６ａにおける前方側縁部分２６ａｆの折り曲げライン２６ｂに沿って折り返すことができる。これにより、折り返し片２４は、それ自体が円弧状に撓むため、直線ラインで折り返した平坦状の折り返し片２４と比較して折り返し後の形状に安定して保つことができる。
【００６４】
長靴型包装容器１０は、中空足型芯材２２と円筒状芯材２３とをそれぞれ中空の偏心錐台形状、円筒形状で形成し、長靴型袋１１に中空足型芯材２２、円筒状芯材２３のそれぞれを別々に収容し、長靴型袋１１の内部においてこれら芯材２２，２３を一体化する構成であるため、中空足型芯材２２と円筒状芯材２３とを長靴型に一体にセットした後で、長靴型袋１１に収容する場合と異なり、中空足型芯材２２と円筒状芯材２３が袋内でつかえたり、中空足型芯材２２と円筒状芯材２３とが負荷を受けて型崩れすることもなく、スムーズ、且つ、見栄えよく収容することができる。
【００６５】
さらに、中空足型芯材２２を長靴型袋１１へ挿入後に円筒状芯材２３を挿入することにより、長靴型袋１１へ挿入した円筒状芯材２３の下部をそのまま円筒状芯材２３の下部に差し込んで容易に一体化することができる。
【００６６】
上記中空足型芯材２２、及び、上記筒状芯材は、可撓性に優れた厚紙で形成しているため、容易に変形して所望の形状に形成でき、さらに、折り返し片２４を備えることにより、可撓性に優れた厚紙であっても全体が型崩れすることなく、その形状に保つことができる。
【００６７】
また、上記長靴型包装容器１０は、上述した実施形態に限らず、他の実施形態で構成することができる。  
例えば、図７に示すように、上記中空足型芯材２２と、該中空足型芯材２２に差し込んだ円筒状芯材２３とが上下方向において係合する芯材間係合部３２を、中空足型芯材２２と円筒状芯材２３とが重なり合う重合部分に構成することができる。
【００６８】
上記芯材間係合部３２は、中空足型芯材２２側に備えた中空足型芯材側係合片としての折り返し片２４と、該折り返し片２４に対して係合可能に上記円筒状芯材２３側に備えた円筒状芯材側係合片３３とで構成している。
【００６９】
なお、円筒状芯材側係合片３３は、下側へ向けて突出した折り返し片２４に対して下側から係合可能に上方へ向けて突出している。
【００７０】
上記円筒状芯材２３を中空足型芯材２２に対して差し込んだ状態で回動させることにより、折り返し片２４と円筒状芯材側係合片３３とを係合することができる。折り返し片２４と円筒状芯材側係合片３３とは、周方向において一致したとき互いに係合し、一致しないとき互いに係合しなくなる。
【００７１】
上記構成により、円筒状芯材２３の下部を中空足型芯材２２に差し込んだ後で、中空足型芯材２２に対して円筒状芯材２３を回動させて円筒状芯材２３と中空足型芯材２２とを係合させることにより、中空足型芯材２２に対して円筒状芯材２３が不測に抜けることがなく、中空足型芯材２２と円筒状芯材２３との一体性をより高めることができる。
【００７２】
また、芯材間係合部３２は、上述した係合の構成に限定しない。例えば、中空足型芯材側係合片２４と円筒状芯材側係合片３３とを、上述したように上下各側で係合可能に形成しているが、円筒状芯材２３を中空型芯材２２に対して回動することにより係脱する構成ではなく、円筒状芯材２３を中空足型芯材２２に対して挿脱方向へスライドすることにより係脱する構成であってもよい。
【００７３】
詳しくは、中空足型芯材側係合片２４と円筒状芯材側係合片３３とが周方向に一致した状態で円筒状芯材２３を、中空足型芯材２２に対して中空足型芯材側係合片２４と円筒状芯材側係合片３３とが上下各側で係合可能な状態まで差し込む。
【００７４】
そして、円筒状芯材２３を中空足型芯材２２に対して抜き出し方向へスライドさせることで中空足型芯材側係合片２４と円筒状芯材側係合片３３を上下各側において係合させることができる。
【００７５】
このように芯材間係合部３２は、上述した実施形態に限らず、様々な実施形態で構成することができる。
【００７６】
上述した実施形態と、この考案の構成との対応において、
円筒状芯材１３は、筒状芯材に対応し、
開口縁部２６ａにおける弧形状部分は、接線方向変化部分に対応し、
開口縁部２６ａにおける前方側縁部分２６ａｆは、接線方向変化縁部に対応するも、
この考案は、上述の実施形態の構成のみに限定されるものではなく、多くの実施の形態を得ることができる。
【００７７】
例えば、上記筒状芯材は、例えば、円筒状芯材２３のように円筒状に限らず、楕円筒状、円錐状、多角柱状、逆円錐状、逆多角柱状に形成してもよい。
【００７８】
この場合、開口部２６は、上記中空足型芯材２２の内部空間Ｂに筒状芯材の下部を差込み可能に、筒状芯材の外周形状に応じて平面視円形状、楕円形状、多角形状などの開口形状で形成することができる。
【符号の説明】
【００７９】
１０，２０…長靴型包装容器
１１…長靴型袋
１２…足型収容部
１３…筒状収容部
２１…可撓性芯材
２２…中空足型芯材
２３…円筒状芯材
２４…折り返し片
２５…筒状保持係合部
２５ａ…筒状保持係合片
２５ｂ…筒状保持係合孔
２６…開口部
２６ａ…開口縁部
２６ａｆ…前方側縁部分
３１…底板
Ａ…内部空間
【図１】
0003156739.tif 000003
【図２】
0003156739.tif 000004
【図３】
0003156739.tif 000005
【図４】
0003156739.tif 000006
【図５】
0003156739.tif 000007
【図６】
0003156739.tif 000008
【図７】
0003156739.tif 000009